(57)【要約】【課題】ユーザの健康を促進する生活を促すことができる宅内制御システムを提供する。【解決手段】宅内の電気機器11を制御する宅内制御システム10である。生体センサ14により、ユーザの生体情報を取得する。蓄積部15により、生体センサ14で取得される生体情報を蓄積する。端末13により、ユーザによってスケジュール情報を設定する。制御部12により、端末13で設定されるスケジュール情報と蓄積部15に蓄積される生体情報とに基づいて電気機器11を制御する。【選択図】図１
2015228591.tif 000002
【特許請求の範囲】
【請求項１】
宅内の電気機器を制御する宅内制御システムであって、
ユーザの生体情報を取得する取得手段と；
前記取得手段で取得される生体情報を蓄積する蓄積部と；
前記ユーザによってスケジュール情報を設定する設定部と；
前記設定部で設定されるスケジュール情報と前記蓄積部に蓄積される生体情報とに基づいて前記電気機器を制御する制御部と；
を具備することを特徴とする宅内制御システム。
【請求項２】
前記制御部は、前記設定部でスケジュール情報として設定される起床時刻と前記蓄積部に蓄積される生体情報に含まれる前記ユーザの睡眠情報とに基づいて適切な入眠時刻を判断し、この入眠時刻に対応して前記電気機器を制御する
ことを特徴とする請求項１記載の宅内制御システム。
【請求項３】
前記制御部は、起床時刻に対応して電気機器として照明器具を点灯制御する
ことを特徴とする請求項１または２記載の宅内制御システム。
【発明の詳細な説明】
【技術分野】
【０００１】
本発明の実施形態は、宅内の電気機器を制御する宅内制御システムに関する。
【背景技術】
【０００２】
従来、宅内の電気機器とホームゲートウェイとを通信可能とし、ユーザがパソコン等でホームゲートウェイを通じて電気機器を操作したり電気機器の状態や電力使用量を確認できるようにしたＨＥＭＳ（Home Energy Management System）等のシステムが知られている。
【０００３】
このようなシステムでは、ユーザがパソコン等で電気機器を操作できるだけで、ユーザの健康を促進する生活を促すために宅内の電気機器を自動的に制御するようにしたものはなかった。
【先行技術文献】
【特許文献】
【０００４】
【特許文献１】特開２０１０−２８７９５３号公報
【発明の概要】
【発明が解決しようとする課題】
【０００５】
本発明が解決しようとする課題は、ユーザの健康を促進する生活を促すことができる宅内制御システムを提供することである。
【課題を解決するための手段】
【０００６】
実施形態は、宅内の電気機器を制御する宅内制御システムである。取得手段により、ユーザの生体情報を取得する。蓄積部により、取得手段で取得される生体情報を蓄積する。設定部により、ユーザによってスケジュール情報を設定する。制御部により、設定部で設定されるスケジュール情報と蓄積部に蓄積される生体情報とに基づいて電気機器を制御する。
【発明の効果】
【０００７】
本発明によれば、スケジュール情報と蓄積されたユーザの生体情報とに基づいて宅内の電気機器を自動的に制御し、ユーザの健康を促進する生活を促すことが期待できる。
【図面の簡単な説明】
【０００８】
【図１】一実施形態を示す宅内制御システムの概念図である。
【図２】同上宅内制御システムの具体例のブロック図である。
【図３】同上宅内制御システムによる制御内容のタイミングチャートである。
【図４】同上宅内制御システムによる制御内容をスマートフォンで表示する表示例を示す説明図である。
【図５】同上宅内制御システムで用いる睡眠情報に関する睡眠深さと時間との関係を示すグラフである。
【発明を実施するための形態】
【０００９】
以下、一実施形態を、図１ないし図４を参照して説明する。
【００１０】
図１に宅内制御システム10の概念図を示す。
【００１１】
宅内制御システム10は、宅内に配置される複数の電気機器11を制御したり、電気機器11の状態や電力使用量等を監視してその情報を表示可能としている。
【００１２】
宅内制御システム10は、制御部12を有している。制御部12に、複数の電気機器11、ユーザがスケジュール情報を設定する設定部としての端末13、ユーザの生体情報を取得する取得手段としての生体センサ14、生体センサ14で取得された生体情報を蓄積する蓄積部15、および蓄積部15に蓄積されたデータを統計解析する解析部16を備えている。
【００１３】
そして、制御部12は、端末13で設定されるスケジュール情報と蓄積部15に蓄積される生体情報とに基づいて電気機器11を制御する。
【００１４】
また、図２に宅内制御システム10の具体例のブロック図を示す。
【００１５】
宅内制御システム10は、宅内に設置されるホームゲートウェイ20を有している。ホームゲートウェイ20に、複数の電気機器11および端末13等がそれぞれ通信可能に接続されている。また、宅内制御システム10は、インターネット接続する場合、ホームゲートウェイ20がルータ21を通じてインターネット22に接続され、このインターネット22に接続されたサーバ23にアクセス可能とされている。
【００１６】
電気機器11は、宅内に設置される照明器具、テレビ、エアコン、あるいは給湯器等を含む。電気機器11は、通信用アダプタを通じてホームゲートウェイ20と相互に通信可能とする。通信には、有線および無線のいずれの通信方式を用いてもよい。そして、電気機器11は、ホームゲートウェイ20から制御信号を受信することにより、その制御信号に応じて動作したり、状態情報をホームゲートウェイ20へ送信するように構成されている。宅内に配置される照明器具のうち、少なくともリビングや寝室等の照明器具は、昼光色と電球色とで発光色を変えられる可変色形であるとともに調光可能とする。
【００１７】
端末13は、パソコン、スマートフォン、タブレット、あるいはテレビ等を含む。端末13は、ホームゲートウェイ20と相互に通信可能とする。通信には、有線および無線のいずれの通信方式を用いてもよい。そして、端末13は、ユーザによってスケジュール情報を設定可能とする。スケジュール情報の設定は、端末13からサーバ23にアクセスしてスケジュール情報を設定してもよいし、端末13で設定したスケジュール情報をサーバ23に送信するようにしてもよい。なお、端末13は、ホームゲートウェイ20から送信される情報を表示する表示部でもある。
【００１８】
生体センサ14は、ユーザの脈波、呼吸、および体動等の生体情報を検知できる活動量計等である。生体センサ14は、ユーザが常に身に着けて生活可能とするもので、例えば腕に装着可能なブレスレット型に構成されている。生体センサ14は、バッテリを内蔵するとともに、時計機能およびメモリ機能を有し、検知した生体情報を時刻情報とともに記憶する。生体センサ14は、例えば端末13と通信可能とする。通信には、有線および無線のいずれの通信方式を用いてもよい。そして、生体センサ14に記憶した情報は、端末13に送信され、端末13からサーバ23に送信される。
【００１９】
ホームゲートウェイ20は、電気機器11、端末13およびサーバ23と相互に通信可能とする。
【００２０】
そして、図２に示す実施形態では、サーバ23が制御部12、蓄積部15および解析部16を備える。制御部12の電気機器11を制御する機能は、ホームゲートウェイ20が備えていてもよい。
【００２１】
なお、制御部12、蓄積部15および解析部16は、サーバ23に限らず、端末13やホームゲートウェイ20が備えていてもよい。この場合、宅内制御システム10をインターネット接続しなくてもよい。
【００２２】
次に、本実施形態の作用を説明する。
【００２３】
ユーザは生体センサ14を身に着けて生活する。生体センサ14は、ユーザの脈波、呼吸、および体動等の生体情報を検知し、生体情報を時刻情報とともに記憶する。ユーザは定期的に生体センサ14に記憶された生体情報を端末13に移行させ、端末13からサーバ23に生体情報を送信し、蓄積部15に生体情報を蓄積する。
【００２４】
そして、宅内制御システム10の動作を図３のタイミングチャートを参照して説明する。
【００２５】
ユーザが端末13を操作し、スケジュール情報として翌日の起床時刻を「７：００」と設定したとする。スケジュール情報の設定は、端末13からサーバ23にアクセスしてスケジュール情報を設定してもよいし、端末13で設定したスケジュール情報をサーバ23に送信するようにしてもよい。
【００２６】
サーバ23の解析部16により、蓄積部15に蓄積された過去１カ月間の睡眠情報および日中の活動量情報から、適切な入眠時刻を算定する。
【００２７】
睡眠情報には、図５に示すように、睡眠周期および睡眠時間が含まれる。睡眠中は、睡眠が浅いレム睡眠と睡眠が深いノンレム睡眠とを所定の周期で繰り返しており、レム睡眠とレム睡眠と間（またはノンレム睡眠とノンレム睡眠の間）が睡眠周期となる。そして、レム睡眠の状態が起床に適したタイミングＰとなる。
【００２８】
解析部16は、蓄積部15に蓄積された過去１カ月間の睡眠情報および日中の活動量情報から、例えば、ユーザの睡眠周期が１時間半であるとともに、睡眠時間が７時間半のときに日中の活動量が活発であると算定した場合、起床時刻「７：００」に対して適切な入眠時刻は「２３：３０」であると算定する。
【００２９】
さらに、入眠時刻の「２３：３０」から逆算して、それぞれ適切な、照明の調色減光開始時刻は「２３：００」、入浴終了時刻は「２２：３０」、テレビ鑑賞終了時刻は「２２：００」、食事終了時刻は「２１：３０」であると算定する。
【００３０】
照明の調色減光に関しては、明るすぎる光や青色光を多く含む光は入眠を妨げることが知られているので、適切な入眠時刻の所定時間前に照明光が睡眠前に適切な状態に自動制御することで、入眠を妨げないようにする。
【００３１】
入浴に関しては、入眠の直前に入浴すると、深部体温が低下せず寝つきが悪くなることがあるので、適切な入眠時刻の所定時間前に入浴を終了するよう促すことで、入眠を妨げないようにする。
【００３２】
テレビ鑑賞に関しては、照明同様、テレビが発する光も睡眠を妨げる可能性があるので、適切な入眠時刻の所定時間前にテレビ鑑賞を終了するように促すことで、入眠を妨げないようにする。
【００３３】
食事に関しては、入眠の直前に食事をすると、消化に神経や血液が集中し寝つきが悪くなることがあり、また翌朝に胃もたれを起こすことがあるので、適切な入眠時刻の所定時間前に食事が完了するよう食事を促すことで、入眠を妨げないようにする。
【００３４】
そして、ユーザが「２０：００」に帰宅し、ユーザが端末13でサーバ23にアクセスすると、サーバ23から端末13に、今日のおすすめ入眠時刻は「２３：３０」、食事時刻は「２１：３０まで」、テレビ鑑賞時刻は「２２：００まで」、入浴時刻は「２２：３０まで」とする予定情報が送信される。図４に示すように、予定情報を受信した端末13では、端末13の画面に予定情報を表示し、ユーザが確認できるようにする。図４に示すように、宅内のレイアウトを表示し、このレイアウト上に時刻を表示することで、予定情報を確認しやすくできる。図４中、30は照明器具（シーリングライト30a、ダウンライト30b、ライン照明30c、ダイニングライト30d）、31はテレビ、および32は風呂給湯器である。
【００３５】
なお、端末13に表示する予定情報は、レイアウト表示に限らず、文字で表示したり、図形や写真とともに表示してもよい。
【００３６】
そして、予定情報を確認したユーザは、「２１：３０」までにダイニングで食事を済ませる。時刻が「２１：３０」になると、サーバ23またはホームゲートウェイ20の制御で、ダイニングライトが自動的に消灯する。これにより、ユーザに「２１：３０」までに食事を済ませるように促すことができる。
【００３７】
ユーザは、リビングのテレビを「２２：００」まで視聴することができる。テレビの視聴を続けていても、時刻が「２２：００」になると、サーバ23またはホームゲートウェイ20の制御でテレビが自動的に切れる。これにより、ユーザに「２２：００」までにテレビ鑑賞を終了するように促すことができる。
【００３８】
サーバ23またはホームゲートウェイ20は、風呂給湯器32を制御し、例えば「２２：００」に入浴できるように風呂を自動的に沸きあげておく。ユーザは、入浴し、「２２：３０」までに入浴を終えるようにする。
【００３９】
時刻が「２３：００」になると、サーバ23またはホームゲートウェイ20の制御で、宅内の照明器具が青色光の割合の少ない電球色照明となるとともに、照度が徐々に低下していく。これにより、ユーザは、自然に眠気を感じ、ベッドに入りやすくなる。
【００４０】
時刻が「２３：３０」になると、サーバ23またはホームゲートウェイ20の制御で、宅内の照明が全て消灯される。これにより、ユーザは自然に入眠しやすくなる。
【００４１】
また、翌日は、時刻が「７：００」の少し前になると、サーバ23またはホームゲートウェイ20の制御で、寝室のシーリングライトが点灯し、光で自然に目覚めを促す。さらに、時刻が「７：００」になると、サーバ23またはホームゲートウェイ20の制御で、スマートフォン等の端末13によってアラームを鳴らしてもよい。
【００４２】
このように、蓄積されたユーザ自身の生体情報に基づいて、宅内の電気機器11が自動で制御されることで、ユーザがすっきりと最高の状態で目覚められるだけでなく、日中も生き生きと活動できる健康的な生活が促すことが期待できる。
【００４３】
しかも、ユーザは、生体センサ14を身に付けて生活し、自身のスケジュールを設定するたけで、電気機器11が自動で動作し、健康を促進する生活に導いてくれる。
【００４４】
さらに、翌日の起床予定時刻と過去の睡眠情報とに基づき、ユーザ自身でさえ自覚することが難しい適切な入眠時間を自動で算出することができる。
【００４５】
そして、照明同様、テレビが発する光も睡眠を妨げる可能性があるが、適切な入眠時刻の所定時間前にテレビが自動消灯されることで、入眠を妨げないようにできる。
【００４６】
明るすぎる光や青色光を多く含む光は入眠を妨げることが知られているが、適切な入眠時刻の所定時間前に照明光が睡眠前に適切な状態に自動制御されることで、入眠を妨げないようにできる。
【００４７】
入眠の直前に入浴すると、深部体温が低下せず寝つきが悪くなることがあるが、適切な入眠時刻の所定時間前に入浴が完了するよう風呂給湯器が動作し入浴を促すことで、入眠を妨げないようにできる。
【００４８】
入眠の直前に食事をすると、消化に神経や血液が集中し寝つきが悪くなることがあり、また翌朝胃もたれを起こすことがあるが、適切な入眠時刻の所定時間前に食事が完了するよう所定時刻にダイニングライトが消灯することで、入眠を妨げないようにできる。
【００４９】
起床時刻に対応して照明器具を点灯制御することにより、ユーザに自然な目覚めを促すことができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
10    宅内制御システム
11    電気機器
12    制御部
13    設定部としての端末
14    取得手段としての生体センサ
15    蓄積部
【図１】
2015228591.tif 000003
【図２】
2015228591.tif 000004
【図３】
2015228591.tif 000005
【図４】
2015228591.tif 000006
【図５】
2015228591.tif 000007